(57)【特許請求の範囲】
【請求項１】
可搬式のシェルター（１０）であって、
支柱（３６）と、天蓋（１６）と、前記支柱に摺動自在に配置されたカラー（２０）と、前記カラーと前記天蓋とに連結された複数の骨組み部材（１８）とを有する傘と、
前記天蓋に取り付けられた第１のフラップ（２２）と、
前記天蓋に取り付けられ、前記第１のフラップと離れた第２のフラップ（２２）と、を備え、
前記天蓋（１６）は、前記支柱（３６）が地面に対して鋭角の角度をなして、地面に設置されるようになっており、前記第１のフラップおよび前記第２のフラップ（２２）は、前記天蓋が地面に設置されるとき、前記天蓋から地面に向かって下方に伸展するようになっており、
天蓋（１６）は、複数の三角形部分を有し、前記第１及び第２のフラップ（２２）は、前記天蓋（１６）の外周縁に取り付けられ、前記天蓋（１６）の後ろで、前記第１フラップ（２２）と前記第２フラップ（２２）との間に１つの三角形部分を有し、前記天蓋の前で、前記第１フラップ（２２）と前記第２フラップ（２２）との間に３つの三角形部分を有する、
ことを特徴とする可搬式のシェルター。
【請求項２】
前記第１のフラップおよび前記第２のフラップは、それぞれ３つの側辺のみを有する、請求項１に記載の可搬式のシェルター。
【請求項３】
前記天蓋は、少なくとも第１の側辺、第２の側辺、第３の側辺、第４の側辺、および第５の側辺を有する多角形の形状であり、
左側のフラップは、前記天蓋の前記第１の側辺および前記第２の側辺に取り付けられ、  右側のフラップは、前記天蓋の前記第４の側辺および前記第５の側辺に取り付けられ、  前記第３の側辺は、前記第２の側辺と前記第４の側辺との間にあり、
前記左側のフラップは前記右側のフラップから離れている、
請求項１に記載の可搬式のシェルター。
【請求項４】
前記カラーおよび前記天蓋に連結された第６の骨組み部材、第７の骨組み部材、および第８の骨組み部材を更に備え、
前記天蓋は８つの側辺を有する、請求項３に記載の可搬式のシェルター。
【請求項５】
前記天蓋は少なくとも１つの窓を有し、前記窓には、スクリーン部分（２６）および前記スクリーン部分を覆うフラップ（２８）が設けられている、請求項１に記載の可搬式のシェルター。
【請求項６】
前記天蓋は突風はけ口としての通風孔（３０）を有する、請求項１に記載の可搬式のシェルター。
【発明の詳細な説明】
【技術分野】
【０００１】
本発明は、日光、風、雨、および他の各天候条件から人体を防護する可搬式のポップアップ式のシェルターに関する。このシェルターは翼状の拡張部を備え、その防護域を拡大することができる。
【０００２】
[関連出願の相互参照]
本出願は、米国特許法１１９条に基づき、米国特許仮出願番号第６１／１３１，３６７号（２００８年６月９日出願）及び米国特許出願番号第１２／４６６，４７６号（２００９年５月１５日出願）の優先権を主張するものである。
【背景技術】
【０００３】
雨や日光から人を防護するための傘には様々な設計によるものがあることはよく知られている。手持ち式の傘は、一般に、そのような気象要素から１人の人間を防護することはできるが、通常、それ以上の人数を十分に防護できるほど大きくはない。また、日陰を得るための大きな傘はベランダやテラスで使用されるのが普通である。このような大きな傘はポールに取り付け、通常、下部に安定のための大きなおもりを備える、またはテーブルに貫通させ、テーブルのベース部と、ベース部の上方におけるポールのあるポイントとで支持する。このような大きな傘は１箇所に設置して固定するのが普通であり、人が携帯して移動する持ち運び可能な可搬式にすることを目的としたものではない。しかし、上げ下げの折り畳みが容易であり、また２人またはそれ以上の人が持ち運びできる、また日光や雨から防護するのに使用できる、より大きな傘型のシェルターを所有することはしばしば望まれる。
【発明の概要】
【発明が解決しようとする課題】
【０００４】
したがって、本発明の主な目的は、可搬式の日光および風雨シェルターを得ることである。
【０００５】
本発明の他の目的は、１人または複数の人が使用できる、素早く簡便に開き、また折り畳むことのできる傘型シェルターを得ることである。
【０００６】
本発明の別の目的は、防護範囲を拡大するため拡張可能な翼片を有するポップアップ式のシェルターを得ることである。
【０００７】
本発明のさらに他の目的は、中央支柱、天蓋、および支柱と天蓋とを相互連結する骨組み、を有する傘シェルターを得ることであり、天蓋には１対の翼片を取り付け、翼片は天蓋を超えて外方に伸展する。
【０００８】
本発明のさらに別の目的は、第１の遮蔽領域を画定する天蓋と、および伸展することによってより広範な第２の遮蔽領域を画定する１個またはそれ以上のフラップと、を有する傘シェルターを得ることである。
【０００９】
本発明のさらなる目的は、地面に設置できる、または地面から直立して設置できる可搬式のシェルターを得ることである。
【００１０】
本発明のさらなる目的は、安定化のため地面に杭打ち固定できる可搬式のシェルターを得ることである。
【００１１】
本発明のさらなる目的は、突風はけ口としての通風孔を備えた天蓋を有する可搬式の傘型シェルターを提供することである。
【００１２】
本発明のさらなる目的は、少なくとも１つの窓を備えた天蓋を有する傘シェルターを得ることである。
【００１３】
本発明のさらなる目的は、スクリーン部分とスクリーン部分を覆うためのフラップを備えた天蓋を有する傘型シェルターを得ることである。
【００１４】
本発明のさらなる目的は、少なくとも１つの収納ポケットを有する携帯型シェルターを得ることである。
【００１５】
本発明のさらなる目的は、日除け防止効果を高めるための金属の下地コーティングを有する可搬式のシェルターを提供することである。
【００１６】
本発明のさらなる目的は、安価に製造でき、耐久性があり、安全に使用できる可搬式の日光および風雨シェルターを提供することである。
【００１７】
本発明の、上記および他の目的は以下の発明の説明により明らかになるであろう。
【課題を解決するための手段】
【００１８】
本発明の可搬式の日光および風雨シェルターは、開いた状態と閉じた状態との間で折り畳み可能な傘を備える。傘は、中央支柱、天蓋、および中央支柱と天蓋との間を相互連結する骨組みを有する。シェルターは、さらに、１対の翼片を備え、翼片は天蓋に取り付けられ、天蓋を超えて外方に伸展可能であり、シェルターの遮蔽領域を拡大する。中央支柱は、互いに入れ子式に嵌合する部分により構成することができる。天蓋は、シェルターを地面に杭打ち固定するリングを有する構成にすることができる。天蓋には、突風はけ口としての通風孔と、天蓋の外を見通せる１つまたは複数の窓またはスクリーンを設けることができる。翼片には１個またはそれ以上の収納ポケットを設けることができる。天蓋の内面には金属コーティングを施し、日除け防止効果を高める。翼片は、天蓋に対して折り畳んでクリップで留めておくことができ、また、天候防護効果を高めるため天蓋より外方に拡張することができる。
【図面の簡単な説明】
【００１９】
【図１】図１は、本発明の可搬式傘型の日光および風雨シェルターを地面に置いた様子を示す斜視図である。
【図２】図２は、シェルターの側面図である。
【図３】図３は、シェルターの正面図である。
【図４】図４は、シェルターの背面図である。
【図５】図５は、シェルターの中央ポールを地面に突き刺し、また天蓋を地面の上方に配置したシェルターの正面図である。
【図６】図６は、図５と同様のシェルターを後方から見た図である。
【図７】図７は、天蓋内部を見上げた様子を示す斜視図であり、通気部を示す。
【発明を実施するための形態】
【００２０】
各図面において、本発明による日光および風雨シェルターを参照符号１０で示す。シェルター１０は、中央支柱１４、天蓋１６、および天蓋１６と支柱１４との間に延在する骨組み部材１８を有する傘１２を備える。骨組み部材１８の外端部を天蓋１６の内側に連結し、骨組み部材１８の内端部をカラー２０に連結する。カラー２０は支柱１４にスライド可能に取り付け、傘１２は普通の雨傘と同様に開閉可能となる。カラー２０におけるクリップまたはピン（いずれも図示せず）が支柱１４の孔（図示せず）に係合することにより、天蓋１６が開いた状態に保持される。カラー２０におけるボタン（図示せず）により、クリップまたはピンを孔から釈放し、これによりカラー２０を支柱１４に沿って下方へスライドさせて天蓋１６を閉じることができる。
【００２１】
シェルター１０は１対の翼片またはフラップ２２を備える。翼片２２は、縫い付けにより、または任意の都合のよい方法により、天蓋１６の外周縁に取り付ける。翼片２２は天蓋１６に隣接する第１位置から、天蓋１６から外側に向かって水平方向に伸展する第２位置へ動かすことができる。
【００２２】
傘１２を開くとき、天蓋１６は第１の遮蔽領域を画定する。翼片２２を伸展位置まで開くと、天蓋１６および翼２２は、第１の遮蔽領域より広範な第２の遮蔽領域を画定する。
【００２３】
翼片またはフラップ２２には、杭（図示せず）を受け入れるように構成したリング２４を設けて、シェルター１０を地面に固定できるようにする。リング２４は、また天蓋１６に設けたクリップ２５でクリップ留めし、翼２２を上方に折り畳んだ、または閉じた状態に保持することができる。
【００２４】
天蓋１６には、天蓋１６から外を見通せる１個またはそれ以上の窓を設けることができる。窓は不透明のプラスチック、または図１および図２に示すようなメッシュスクリーン２６とすることができる。各スクリーン２６を覆うフラップ２８を設ける。フラップ２８は天蓋１６の一端縁に取り付け、スクリーン２６を覆う閉位置とスクリーン２６を露出させる開位置との間で移動可能とする。フラップ２８は、任意の都合のよい手段、例えばジッパーまたはベルクロ（登録商標）タイプの留め具等により閉位置に保持することができる。
【００２５】
天蓋１６には、さらに突風はけ口としての通風孔３０を、好ましくは、図３に明示するように天蓋１６の中央付近に設けることができる。通気孔３０上にはキャップまたはカバー３２を設け、通風孔３０に雨が進入するのを防ぐ。
【００２６】
また、シェルター１０には、１個またはそれ以上の収納ポケット３４を設けることができる。例えば、図１および図３に示すように、ポケット３４は一方または双方の翼片２２に設けられ、身の回りの小物を収納する。ポケット３４には、ジッパーまたはベルクロ（登録商標）タイプの留め具を設けることができる。
【００２７】
中央支柱１４は互いに入れ子式に嵌合する部分３６，３８により形成する。下側の部分３８は、上側の部分３６に対して伸長および収縮することができ、在来のねじり止め作用により部分３６，３８を選択した位置に保持することができる。変形例として、つまみねじ３９を上側の部分３６に設けて、下側の部分３８を選択した位置に保持するようにすることができる。好ましくは、上側部分３６の長さは天蓋１６の半径とほぼ等しくし、これにより、傘１２を閉じたときに、天蓋１６の外周縁が支柱の部分３６の下端部に隣接し、下側の部分３８を完全に上側の部分３６に収納させた状態にすることができる。
【００２８】
使用にあたり、シェルター１０を開いて地面に設置し、この場合、図１〜図４に示すように、支柱１４の下端部および天蓋１６が地面と係合するよう設置する。翼片２２は広げて地面に杭打ち固定することができる。このようにシェルター１０を開いた状態では、天蓋１６の下には２人またはそれ以上の人が楽に座ることができ、日光、雨、または他の各天候条件から防護することができる。
【００２９】
変形例として、シェルター１０は、図５および図６に示すように直立させることができ、この場合、支柱１４の下端部を地面と係合させ、天蓋１６および/または翼片２２に取り付けた複数の紐４０を地面に杭打ち固定することで、シェルター１０の直立姿勢を保持する。入れ子式に嵌合する下側の部分３８の下端部は尖端状にし、それを地面に押し込むことで、直立したシェルター１０の安定性を一層高めるようにすることができる。
【００３０】
シェルター１０は、使わないときには折り畳むことができ、運搬用の把手がついたキャリングバッグまたはケース（いずれも図示せず）に容易に収納することができる。このバッグは、さらにシェルター１０を地面に固定させるための杭および紐を、不使用時に保管できる。
【００３１】
以上、本発明を好適な実施形態につき説明したが、多くの変更、代替、付加を、本発明の意図する精神および範囲から逸脱することなく行うことができることが理解されるであろう。以上の説明から、本発明により、少なくとも上述した課題の全てを解決することがわかる。
【図１】
0005562948.tif 000002
【図２】
0005562948.tif 000003
【図３】
0005562948.tif 000004
【図４】
0005562948.tif 000005
【図５】
0005562948.tif 000006
【図６】
0005562948.tif 000007
【図７】
0005562948.tif 000008